(57)【要約】【課題】  画素領域の配置を効率的にすることが可能な発光表示装置を提供すること。【解決手段】  本発明の発光表示装置は，走査信号を伝達する複数の走査線Ｓと；データ信号を伝達する複数のデータ線Ｄと；走査線Ｓとデータ線Ｄに各々連結される複数の画素回路１１０，１２０と；を備える。画素回路１１０，１２０は，走査信号に応答し，データ信号に対応する駆動電流を出力端に出力する画素駆動部１１１と，駆動電流に対応して第１，第２，及び第３色相に各々発光する第１，第２，及び第３発光素子（Ｒ、Ｇ，Ｂ）と，画素駆動部の出力端と上記第１，第２，及び第３発光素子（Ｒ、Ｇ，Ｂ）との間に各々電気的に連結され，上記駆動電流を選択的に第１，第２，及び第３発光素子（Ｒ、Ｇ，Ｂ）に各々伝達する第１，第２，及び第３スイッチング素子（Ｍ３１，Ｍ３２，Ｍ３３）と，を備える。【選択図】    図４
2006114876.tif 000002
【特許請求の範囲】
【請求項１】
走査信号を伝達する複数の走査線と，データ信号を伝達する複数のデータ線と，前記走査線と前記データ線に各々連結される複数の画素回路と，を備える発光表示装置において：
前記各画素回路は，
前記走査信号に応じて，前記データ信号に対応する駆動電流を出力端に出力する画素駆動部と；
前記駆動電流に応じて第１，第２及び第３色相に各々発光する第１，第２，及び第３発光素子と；
前記画素駆動部の出力端と前記第１，第２及び第３発光素子との間に各々電気的に連結され，前記駆動電流を選択的に第１，第２及び第３発光素子に各々伝達する第１，第２，及び第３スイッチング素子と；
を有し，
前記第１，第２及び第３発光素子のうちの何れか２つの発光素子は，第１線上に並んで配置され，残る一つの発光素子は，前記第１線とは異なる第２線上に配置されることを特徴とする，発光表示装置。
【請求項２】
前記第１，第２及び第３発光素子は，略三角形状に配置されることを特徴とする，請求項１に記載の発光表示装置。
【請求項３】
前記第１線及び第２線は，前記走査線と略平行であることを特徴とする，請求項１または２のいずれかに記載の発光表示装置。
【請求項４】
前記走査線は，前記第１線と前記第２線との間に配置されることを特徴とする，請求項１〜３のいずれかに記載の発光表示装置。
【請求項５】
前記画素回路は，
前記走査信号に応答して前記データ信号を伝達する第１トランジスタと，
前記第１トランジスタによって伝達されたデータ信号に対応する電圧を保存する第１キャパシタと，
前記データ信号に対応する電流を出力する第２トランジスタと，
を有することを特徴とする，請求項１〜４のうちのいずれか１項に記載の発光表示装置。
【請求項６】
前記画素回路は，
前記第２トランジスタをダイオード形態に連結する第３トランジスタと，
第１電極が前記第１キャパシタの一つの電極に電気的に連結され，第２電極が前記第１キャパシタの他の電極に連結される第４トランジスタと，
一つの電極が前記第４トランジスタの第２電極に連結され，他の電極が前記第２トランジスタの制御電極に連結される第２キャパシタと，
をさらに有することを特徴とする，請求項５に記載の発光表示装置。
【請求項７】
走査信号を各々伝達する複数の走査線と，データ信号を各々伝達する複数のデータ線と，前記走査信号と前記データ信号に応じて発光する複数の発光素子と，を備える発光表示パネルにおいて：
第１色相に発光する第１発光素子と，第２色相に発光する第２発光素子と，第３色相に発光する第３発光素子と，が行方向に順に連続して配置される第１発光素子グループと；
前記第２色相に発光する第４発光素子と，前記第３色相に発光する第５発光素子と，前記第１色相に発光する第６発光素子と，が前記行方向に順に連続して配置される第２発光素子グループと；
を有し，
前記第１発光素子と前記第４及び第５発光素子は，一つの前記走査線及び一つの前記データ線によって制御されることを特徴とする，前記走査信号及び前記データ信号に応じて発光する発光表示パネル。
【請求項８】
前記走査線は，前記第１発光素子グループと前記第２発光素子グループとの間に配置されることを特徴とする，請求項７に記載の発光表示パネル。
【請求項９】
前記第２及び第３発光素子と前記第６発光素子は，
前記第１，第４，及び第５発光素子に走査信号を伝達する走査線と同一の走査線に伝達される走査信号により発光し，
前記第１，第４，及び第５発光素子にデータ信号を伝達するデータ線と異なるデータ線によって伝達されるデータ信号に応じて発光することを特徴とする，請求項７又は８に記載の発光表示パネル。
【請求項１０】
前記第１発光素子は，前記第４発光素子と第５発光素子との間の列方向のライン上に配置されたことを特徴とする，請求項７又は８に記載の発光表示パネル。
【請求項１１】
走査信号を伝達する複数の走査線と，データ信号を伝達する複数のデータ線と，前記走査線と前記データ線に各々連結される複数の画素回路と，を備えた発光表示装置において：
前記各画素回路は，
前記走査信号に応答して前記データ信号を伝達する第１トランジスタと；
前記第１トランジスタによって伝達された前記データ信号に対応する電圧を保存する第１キャパシタと；
前記データ信号に対応する電流を出力する第２トランジスタと；
前記第２トランジスタから出力された電流に対応して第１，第２，及び第３色相に各々発光する第１，第２，及び第３発光素子と；
前記第２トランジスタから出力された電流を前記第１，第２，及び第３発光素子に各々選択的に伝達する第１，第２，及び第３スイッチング素子と；
を有し，
前記第１，第２，及び第３発光素子は，略三角形状に配置されることを特徴とする，発光表示装置。
【請求項１２】
前記第１，第２，及び第３発光素子は，略逆三角形状に配置されることを特徴とする，請求項１１に記載の発光表示装置。
【請求項１３】
前記画素回路は，
前記第２トランジスタをダイオード連結する第３トランジスタと，
第１電極が前記第１キャパシタの一つの電極に電気的に連結され，第２電極が前記第１キャパシタの他の電極に連結される第４トランジスタと，
一つの電極が前記第４トランジスタの第２電極に連結され，他の電極が前記第２トランジスタの制御電極に連結される第２キャパシタと，
をさらに有することを特徴とする，請求項１２に記載の発光表示装置。
【発明の詳細な説明】
【技術分野】
【０００１】
本発明は発光表示装置及び発光表示パネルに係り，特に，有機物質の電界発光を利用した有機発光表示装置及び発光表示パネルに関するものである。
【背景技術】
【０００２】
一般的に，有機発光表示装置は，蛍光性有機化合物を電気的に励起させて発光する表示装置であって，行列形態に配列されたＮ×Ｍ個の有機発光素子を駆動して映像を表現する。
【０００３】
このような有機発光素子は，ダイオード特性があるので有機発光ダイオード（ＯＬＥＤ）とも呼ばれ，アノード，有機薄膜，カソード電極層の構造を有している。有機薄膜は，電子と正孔の均衡を良好にして発光効率を向上させるために，発光層（ＥＭＬ），電子輸送層（ＥＴＬ），及び正孔輸送層（ＨＴＬ）を含んだ多層構造に成っており，また，別途の電子注入層（ＥＩＬ）と正孔注入層（ＨＩＬ）を含んでいる。このような有機発光素子がＮ×Ｍ個のマトリックス形態に配列されて有機発光表示パネルを形成する。
【０００４】
このような有機発光表示パネルを駆動する方式には，単純マトリックス方式と，薄膜トランジスタ（以下，ＴＦＴとする）を利用した能動駆動方式がある。単純マトリックス方式は，正極線と負極線を直交するように形成し，ライン（線）を選択して駆動するのに比し，能動駆動方式は，データ線と走査線に各々連結される複数の薄膜トランジスタを走査信号に応じて順に導通させることによって有機発光素子を駆動する方式である。
【０００５】
以下，一般的な有機発光表示装置の画素回路について説明する。
【０００６】
図１は，従来の発光表示装置の画素回路であって，Ｎ×Ｍ個の画素のうちの一つ，つまり，一番目の行と一番目の列に位置する画素を等価的に示したものである。
【０００７】
図１に示すように，一つの画素１０は３個の副画素（１０ｒ，１０ｇ，１０ｂ）を含み，副画素（１０ｒ，１０ｇ，１０ｂ）には，各々赤，緑，青を発光するＯＬＥＤ素子（ＯＬＥＤｒ，ＯＬＥＤｇ，ＯＬＥＤｂ）が形成されている。そして，副画素がストライプ形態に配列された構造では，副画素（１０ｒ，１０ｇ，１０ｂ）は，各々別個のデータ線（Ｄ１ｒ，Ｄ１ｇ，Ｄ１ｂ）と共通の選択走査線（Ｓ１）に連結されている。
【０００８】
赤色の副画素（１０ｒ）は，有機発光素子（ＯＬＥＤｒ）を駆動するための２個のトランジスタ（Ｍ１１ｒ，Ｍ１２ｒ）とキャパシタ（Ｃ１１ｒ）を含む。同様に，緑色の副画素（１０ｇ）は２個のトランジスタ（Ｍ１１ｇ，Ｍ１２ｇ）とキャパシタ（Ｃ１１ｇ）を含み，青色の副画素（１０ｂ）も２個のトランジスタ（Ｍ１１ｂ，Ｍ１２ｂ）とキャパシタ（Ｃ１１ｂ）を含む。これら副画素（１０ｒ，１０ｇ，１０ｂ）の動作は全て同一であるので，以下では一つの副画素（１０ｒ）を例に挙げて説明する。
【０００９】
電源電圧（ＶＤＤ）とＯＬＥＤ素子（ＯＬＥＤｒ）のアノードとの間に駆動トランジスタ（Ｍ１ｒ）が連結されて，発光のための電流をＯＬＥＤ素子（ＯＬＥＤｒ）に伝達し，ＯＬＥＤ素子（ＯＬＥＤｒ）のカソードは，電源電圧（ＶＤＤ）より低い電圧（ＶＳＳ）に連結されている。駆動トランジスタ（Ｍ１ｒ）の電流量は，スイッチングトランジスタ（Ｍ２ｒ）を通じて印加されるデータ電圧に応じて制御されるようになっている。この時，キャパシタ（Ｃ１ｒ）が，トランジスタ（Ｍ１ｒ）のソースとゲートとの間に連結されて印加された電圧を所定の期間維持する。トランジスタ（Ｍ２ｒ）のゲートには，オン／オフ形態の走査信号を伝達する選択走査線（Ｓ１）が連結されており，ソース側には，赤色副画素（１０ｒ）に該当するデータ電圧を伝達するデータ線（Ｄ１ｒ）が連結されている。
【００１０】
このように，有機発光表示装置は一つの画素１０が３個の副画素（１０ｒ，１０ｇ，１０ｂ）を含み，副画素別に有機発光素子を駆動するための駆動トランジスタ，スイッチングトランジスタ，及びキャパシタが形成される。また，副画素別にデータ信号を伝達するためのデータ線，及び電源電圧（ＶＤＤ）を伝達するための電源線が形成される。
【発明の開示】
【発明が解決しようとする課題】
【００１１】
しかし，従来の有機発光表示装置によれば，一つの画素に形成されるトランジスタ，キャパシタ，及び，電圧又は信号を伝達するための配線が複数個必要になるため，画素内部にこれらを配置するのが難しくなり，また，画素で有機発光素子（ＯＬＥＤ）が占める発光領域が減少することによって開口率が低くなるというという問題がある。
【００１２】
そこで，本発明は，このような問題に鑑みてなされたもので，その目的は，効率的な画素領域の配置構造を有し，配線の設置数を減少させることが可能な，新規かつ改良された発光表示装置及び発明表示パネルを提供することにある。
【課題を解決するための手段】
【００１３】
上記課題を解決するために，本発明のある観点によれば，走査信号を伝達する複数の走査線と；データ信号を伝達する複数のデータ線と；上記走査線と上記データ線に各々連結される複数の画素回路と；を備える発光表示装置において：上記各画素回路は，上記走査信号に応答し，上記データ信号に対応する駆動電流を出力端に出力する画素駆動部と，上記駆動電流に対応して第１，第２，及び第３色相に各々発光する第１，第２，及び第３発光素子と，上記画素駆動部の出力端と上記第１，第２，及び第３発光素子との間に各々電気的に連結され，上記駆動電流を選択的に第１，第２，及び第３発光素子に各々伝達する第１，第２，及び第３スイッチング素子と，を有し，上記第１，第２，及び第３発光素子のうちの何れか２個の発光素子は，第１線上に隣接して配置され，残る一つの発光素子は上記第１線とは異なる第２線上に配置されることを特徴とする，発光表示装置が提供される。発光表示装置は走査駆動部、データ駆動部及び発光表示パネルを含む。
【００１４】
また，上記第１，第２，及び第３発光素子は，略三角形状に配置されてもよい。
【００１５】
また，上記第１線及び第２線は，上記走査線と略平行であってもよい。
【００１６】
また，上記走査線は，上記第１線と上記第２線との間に配置されてもよい。
【００１７】
また，上記画素回路は，上記走査信号に応答して上記データ信号を伝達する第１トランジスタと，上記第１トランジスタによって伝達されたデータ信号に対応する電圧を保存する第１キャパシタと，上記データ信号に対応する電流を出力する第２トランジスタと，を有してもよい。
【００１８】
また，上記画素回路は，上記第２トランジスタをダイオード形態に連結する第３トランジスタと，第１電極が上記第１キャパシタの一つの電極に電気的に連結され，第２電極が上記第１キャパシタの他の電極に連結される第４トランジスタと，一つの電極が上記第４トランジスタの第２電極に連結され，他の電極が上記第２トランジスタの制御電極に連結される第２キャパシタと，をさらに有してもよい。
【００１９】
上記課題を解決するために，本発明の別の観点によれば，走査信号を各々伝達する複数の走査線と；データ信号を各々伝達する複数のデータ線と；上記走査信号と上記データ信号に応じて発光する複数の発光素子と；を備える発光表示パネルにおいて：第１色相に発光する第１発光素子と，第２色相に発光する第２発光素子と，第３色相に発光する第３発光素子と，が行方向に順に連続して配置される第１発光素子グループと，上記第２色相に発光する第４発光素子と，上記第３色相に発光する第５発光素子と，上記第１色相に発光する第６発光素子と，が上記行方向に順に連続して配置される第２発光素子グループと，を有し，上記第１発光素子と上記第４及び第５発光素子は，一つの上記走査線及び一つの上記データ線によって制御されることを特徴とする，上記走査信号及び上記データ信号に応じて発光する発光表示パネルが提供される。発光表示パネルは走査線、データ線及び画素回路を含む。
【００２０】
また，上記走査線は，上記第１発光素子グループと上記第２発光素子グループとの間に配置されてもよい。
【００２１】
また，上記第２及び第３発光素子と上記第６発光素子は，上記第１，第４，及び第５発光素子に走査信号を伝達する走査線と同一の走査線に伝達される走査信号により発光してもよく，上記第１，第４，及び第５発光素子にデータ信号を伝達するデータ線と異なるデータ線によって伝達されるデータ信号に応じて発光してもよい。
【００２２】
また，上記第１発光素子は，上記第４発光素子と第５発光素子との間の列方向のライン上に配置されてもよい。
【００２３】
上記課題を解決するために，本発明の別の観点によれば，走査信号を伝達する複数の走査線と；データ信号を伝達する複数のデータ線と；上記走査線と上記データ線に各々連結される複数の画素回路と；を備えた発光表示装置において：上記各画素回路は，上記走査信号に応答して上記データ信号を伝達する第１トランジスタと，上記第１トランジスタによって伝達された上記データ信号に対応する電圧を保存する第１キャパシタと，上記データ信号に対応する電流を出力する第２トランジスタと，上記第２トランジスタから出力された電流に対応して第１，第２，及び第３色相に各々発光する第１，第２，及び第３発光素子と，上記第２トランジスタから出力された電流を上記第１，第２，及び第３発光素子に各々選択的に伝達する第１，第２，及び第３スイッチング素子と，を有し，上記第１，第２，及び第３発光素子は，略三角形状に配置されることを特徴とする，発光表示装置が提供される。
【００２４】
また，上記第１，第２，及び第３発光素子は，略逆三角形状に配置されてもよい。
【００２５】
また，上記画素回路は，上記第２トランジスタをダイオード連結する第３トランジスタと，第１電極が上記第１キャパシタの一つの電極に電気的に連結され，第２電極が上記第１キャパシタの他の電極に連結される第４トランジスタと，一つの電極が上記第４トランジスタの第２電極に連結され，他の電極が上記第２トランジスタの制御電極に連結される第２キャパシタと，をさらに有してもよい。
【発明の効果】
【００２６】
以上説明したように，本発明によれば，一つの走査線と一つのデータ線に連結された一つの画素駆動部がＲ，Ｇ，Ｂ３個の有機発光素子を駆動することにより，一つの画素駆動部が一つの有機発光素子を駆動する場合に比べて，走査線及びデータ線を減少させることができる。
【発明を実施するための最良の形態】
【００２７】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００２８】
図２は，本発明の第１実施形態による有機発光表示装置の構成を概略的に示す図である。
【００２９】
図２に示すように，本発明の第１実施形態による有機発光表示装置は，表示部１００，走査駆動部２００，発光制御信号駆動部３００，及びデータ信号駆動部４００を含む。
【００３０】
表示部１００は，行方向に延びている複数の走査線（Ｓ［１］〜Ｓ［ｎ］），発光制御線（Ｅ［１］〜Ｅ［ｎ］），及び列方向に延びている複数のデータ線（Ｄ［１］〜Ｄ［ｍ］）を含む。図２には示さないが，発光制御線（Ｅ［ｉ］）は各々３個の発光制御線（Ｅ１［ｉ］，Ｅ２［ｉ］，Ｅ３［ｉ］）からなる。
【００３１】
走査駆動部２００は，走査信号を順に走査線（Ｓ［１］〜Ｓ［ｎ］）に印加し，発光制御信号駆動部３００は，有機発光素子の発光を制御するための発光制御信号を順に発光制御線（Ｅ［１］〜Ｅ［ｎ］）に印加する。そして，データ信号駆動部４００は，走査信号が順に印加されるたびに対応するデータ信号をデータ線（Ｄ［１］〜Ｄ［ｍ］）に印加する。
【００３２】
走査駆動部及び発光制御信号駆動部２００，３００とデータ信号駆動部４００は，各々表示部４００が形成された基板に電気的に連結される。これとは違って，走査駆動部２００，発光制御信号駆動部３００及び／又はデータ信号駆動部４００を表示部１００が形成されたガラス基板上に直接装着することもでき，表示部１００の基板に走査線，データ線，及びトランジスタと同一層で形成されている駆動回路で代替することもできる。あるいは，走査駆動部２００，発光制御信号駆動部３００及び／又はデータ信号駆動部４００を，表示部１００の基板に接着されて電気的に連結されたＴＣＰ（ｔａｐｅ  ｃａｒｒｉｅｒ  ｐａｃｋａｇｅ），ＦＰＣ（ｆｌｅｘｉｂｌｅ  ｐｒｉｎｔｅｄ  ｃｉｒｃｕｉｔ），又はＴＡＢ（ｔａｐｅ  ａｕｔｏｍａｔｉｃ  ｂｏｎｄｉｎｇ）にチップなどの形態で装着することもできる。
【００３３】
図３は，本発明の第１実施形態による表示部１００の画素配置構造を詳細に示す図である。
【００３４】
図３は表示部１００の一部分であって，３個のデータ線（Ｄ［ｊ］，Ｄ［ｊ＋１］，Ｄ［ｊ＋２］）及び２個の走査線（Ｓ［ｉ］，Ｓ［ｉ＋１］）によって形成される複数の画素１１０，１２０のみを代表的に示した。ここで，‘ｊ’は１からｍの間の自然数であり，‘ｉ’は１からｎの間の自然数を意味する。したがって，図３に示された領域は，任意の３個のデータ線と２個の走査線によって形成される複数の画素を含む表示部１００の一部分になる。
【００３５】
画素１１０は，走査線（Ｓ［ｉ］又はＳ［ｉ＋１］）を通じて伝達される走査信号，及びデータ線（Ｄ［ｊ］）を通じて伝達されるデータ信号に基づいて動作する。また，画素１１０は，奇数行（Ｌ１又はＬ３）に配置される緑色（Ｇ）に発光する有機発光素子（ＯＬＥＤ＿Ｇ）と，偶数行（Ｌ２又はＬ４）に並行に配置される赤色（Ｒ），青色（Ｂ）に各々発光する２個の有機発光素子（ＯＬＥＤ＿Ｒ，ＯＬＥＤ＿Ｂ）と，を含む。つまり，画素１１０では，３個の有機発光素子（ＯＬＥＤ＿Ｇ，ＯＬＥＤ＿Ｒ，ＯＬＥＤ＿Ｂ）の配置形状がデルタ（Δ）つまり三角形状を成す。なお，本実施形態において，第１，第２及び第３色相は，それぞれ，緑色（Ｇ），赤色（Ｒ），青色（Ｂ）に相当する。また，第１，第２，及び第３発光素子は，それぞれ，有機発光素子（ＯＬＥＤ＿Ｇ），有機発光素子（ＯＬＥＤ＿Ｒ），有機発光素子（ＯＬＥＤ＿Ｂ）に相当する。また，第１線は，有機発光素子の奇数行Ｌ１，Ｌ３…（又は偶数行Ｌ２，Ｌ４…）に相当し，第２線は，有機発光素子の偶数行Ｌ２，Ｌ４…（又は奇数行Ｌ１，Ｌ３）に相当する。また，第１発光素子グループは，奇数行Ｌ１，Ｌ３…（又は偶数行Ｌ２，Ｌ４…）に配置される有機発光素子（ＯＬＥＤ＿Ｇ，ＯＬＥＤ＿Ｒ，ＯＬＥＤ＿Ｂ）に相当し，第２発光素子グループは，偶数行Ｌ２，Ｌ４…（又は奇数行Ｌ１，Ｌ３…）に配置される有機発光素子（ＯＬＥＤ＿Ｇ，ＯＬＥＤ＿Ｒ，ＯＬＥＤ＿Ｂ）に相当する。
【００３６】
画素１２０は，走査線（Ｓ［ｉ］又はＳ［ｉ＋１］）を通じて伝達される走査信号，及びデータ線（Ｄ［ｊ＋１］）を通じて伝達されるデータ信号に基づいて動作する。また，画素１２０は奇数行（Ｌ１又はＬ３）に並行に配置される赤色（Ｒ），青色（Ｂ）に各々発光する２個の有機発光素子（ＯＬＥＤ＿Ｒ，ＯＬＥＤ＿Ｂ）と，偶数行（Ｌ２又はＬ４）に配置される緑色（Ｇ）に発光する有機発光素子（ＯＬＥＤ＿Ｇ）と，を含む。つまり，画素１２０では，３個の有機発光素子（ＯＬＥＤ＿Ｒ，ＯＬＥＤ＿Ｂ，ＯＬＥＤ＿Ｇ）の配置形状が逆三角形状を成す。
【００３７】
走査線（Ｓ［ｉ］）は，奇数行（Ｌ１）に配置された画素１１０の有機発光素子（ＯＬＥＤ＿Ｇ）と偶数行（Ｌ２）に配置された有機発光素子（ＯＬＥＤ＿Ｒ，ＯＬＥＤ＿Ｂ）に全て隣接するように，奇数行（Ｌ１）と偶数行（Ｌ２）との間に奇数行（Ｌ１）及び偶数行（Ｌ２）とほぼ並行に配置される。
【００３８】
同様に，走査線（Ｓ［ｉ＋１］）は，奇数行（Ｌ３）に配置された画素１１０の有機発光素子（ＯＬＥＤ＿Ｇ）と偶数行（Ｌ４）に配置された有機発光素子（ＯＬＥＤ＿Ｒ，ＯＬＥＤ＿Ｂ）に全て隣接するように，奇数行（Ｌ３）と偶数行（Ｌ４）との間に奇数行（Ｌ３）及び偶数行（Ｌ４）とほぼ並行に配置される。したがって，偶数行（Ｌ２）に配置された発光素子は，走査線（Ｓ［ｉ］）により伝達される走査信号に基づいて動作し，奇数行（Ｌ３）に配置された発光素子は走査線（Ｓ［ｉ＋１］）により伝達される走査信号に基づいて動作するので，偶数行（Ｌ２）と奇数行（Ｌ３）との間には走査線が配置される必要がなくなるので，表示部１００に配置される走査線の数を減少させることができる。
【００３９】
ここで，奇数行（Ｌ１）と偶数行（Ｌ２）は，有機発光素子が配置される間隔であるセルピッチの大きさは同一であるが，奇数行（Ｌ１）は，偶数行（Ｌ２）と比較すると，セルピッチの１／２だけ行方向にシフトされて配置される。つまり，奇数行（Ｌ１）と偶数行（Ｌ２）の行方向に，配列位相差は１／２セルピッチとなる。このように奇数行（Ｌ１）と偶数行（Ｌ２）に１／２の配列位相差が存在することにより，一つの画素を構成する３個の有機発光素子はデルタ（Δ）形状（つまり逆三角形状）を成す。例えば，画素１１０において，偶数行（Ｌ２）に配置された有機発光素子（ＯＬＥＤ＿Ｂ，ＯＬＥＤ＿Ｒ）の間の列方向のライン上に有機発光素子（ＯＬＥＤ＿Ｇ）が配置される。
【００４０】
図４は，本発明の第１実施形態による画素１１０の等価回路を示す図である。以下の説明では，説明の便宜のために，発光制御線（Ｅ１［ｉ］，Ｅ２［ｉ］，Ｅ３［ｉ］）に印加される発光制御信号の符号も発光制御線と同一に‘Ｅ１［ｉ］，Ｅ２［ｉ］，Ｅ３［ｉ］’と示し，走査線（Ｓ［ｉ］）に印加される走査信号の符号も同一に‘Ｓ［ｉ］’と示す。また，画素１１０の全てのトランジスタはｐチャネルトランジスタに示した。
【００４１】
まず，図４のように，画素１１０は，走査信号（Ｓ［ｉ］）に基づいてデータ信号（Ｄ［ｊ］）に対応する電流（ＩＯＬＥＤ）を出力する画素駆動部１１１，画素駆動部１１１で生成された電流（ＩＯＬＥＤ）が選択的に伝達されるように制御するトランジスタ（Ｍ３１，Ｍ３２，Ｍ３３），及び赤色（Ｒ），緑色（Ｇ），青色（Ｂ）に各々発光する有機発光素子（ＯＬＥＤ＿Ｒ，ＯＬＥＤ＿Ｇ，ＯＬＥＤ＿Ｂ）を含む。
【００４２】
有機発光素子（ＯＬＥＤ＿Ｒ，ＯＬＥＤ＿Ｇ，ＯＬＥＤ＿Ｂ）は，アノードにはデータ信号に対応する電流（ＩＯＬＥＤ）が印加され，カソードには，電源電圧（ＶＤＤ）より低い基準電圧（Ｖｓｓ）が印加される。このような電源電圧（Ｖｓｓ）としては負の電圧又は接地電圧を用いることができる。また，有機発光素子（ＯＬＥＤ＿Ｒ，ＯＬＥＤ＿Ｂ）は並行に一つの行に配列され，有機発光素子（ＯＬＥＤ＿Ｇ）は，有機発光素子（ＯＬＥＤ＿Ｒ，ＯＬＥＤ＿Ｂ）とデルタ形状を成す位置に配置される。
【００４３】
画素駆動部１１１は走査信号（Ｓ［ｉ］）及びデータ信号（Ｄ［ｊ］）の伝達を受け，データ信号（Ｄ［ｊ］）に対応する電流（ＩＯＬＥＤ）を生成する。また，第１実施形態による画素駆動部１１１は，トランジスタ（Ｍ１），トランジスタ（Ｍ２），及びキャパシタ（Ｃｓｔ）を含む。具体的に，トランジスタ（Ｍ２）は，ソースがデータ線（Ｄ［ｊ］）に連結され，ゲートが走査線（Ｓ［ｉ］）に連結される。トランジスタ（Ｍ１）は，ソースが電源電圧（ＶＤＤ）に連結され，ゲートがトランジスタ（Ｍ２）のドレインに連結され，ドレインは画素駆動部１１１の出力端を形成する。そして，キャパシタ（Ｃｓｔ）は，トランジスタ（Ｍ１）のゲートとソースとの間に連結される。本実施形態において，第１トランジスタはＭ２に，第２トランジスタはＭ１に，第１キャパシタはＣｓｔに相当する。
【００４４】
本発明の第１実施形態では，画素駆動部１１１が２個のトランジスタ（Ｍ１，Ｍ２）及びキャパシタ（Ｃｓｔ）を含むが，本発明による画素駆動部はこれに限定されるものではなく，データ信号に対応して有機発光素子を発光させ得る電流を出力する回路であれば充分である。
【００４５】
トランジスタ（Ｍ３１）は，ソースがトランジスタ（Ｍ１）のドレインドレインに連結され，ゲートが発光制御線（Ｅ１［ｉ］）に連結され，ドレインは有機発光素子（ＯＬＥＤ＿Ｇ）のアノードに電気的に連結される。そして，トランジスタ（Ｍ３２）は，ソースがトランジスタ（Ｍ１）のドレインに連結され，ゲートが発光制御線（Ｅ２［ｉ］）に連結され，ドレインは有機発光素子（ＯＬＥＤ＿Ｒ）のアノードに電気的に連結され，トランジスタ（Ｍ３３）は，ソースがトランジスタ（Ｍ１）のドレインに連結され，ゲートが発光制御線（Ｅ３［ｉ］）に連結され，ドレインは有機発光素子（ＯＬＥＤ＿Ｂ）のアノードに電気的に連結される。
【００４６】
したがって，発光制御信号（Ｅ１［ｉ］）に応答してトランジスタ（Ｍ３１）が導通すれば，画素駆動部１１１の出力端であるトランジスタ（Ｍ１）のドレインから出力される電流（ＩＯＬＥＤ）は，有機発光素子（ＯＬＥＤ＿Ｇ）に伝達される。また，発光制御信号（Ｅ２［ｉ］）に応答してトランジスタ（Ｍ３２）が導通すれば，トランジスタ（Ｍ１）から出力される電流（ＩＯＬＥＤ）は有機発光素子（ＯＬＥＤ＿Ｒ）に伝達され，発光制御信号（Ｅ３［ｉ］）に応答してトランジスタ（Ｍ３３）が導通すれば，トランジスタ（Ｍ１）から出力される電流（ＩＯＬＥＤ）は有機発光素子（ＯＬＥＤ＿Ｂ）に伝達される。
【００４７】
つまり，本発明の第１実施形態では，一つのフィールドが３個のサブフィールドに分割されて駆動され，３個のサブフィールドでは各々緑色，赤色，及び青色のデータが記入されて発光する。このために，走査駆動部２００は，サブフィールドごとに走査信号を順に走査線（Ｓ［１］〜Ｓ［ｎ］）に伝達し，発光制御信号駆動部３００も，各色相の有機発光素子が一つのサブフィールドで発光できるように，発光制御信号を発光制御線（Ｅ１［１］〜Ｅ１［ｎ］，Ｅ２［１］〜Ｅ２［ｎ］，Ｅ３［１］〜Ｅ３［ｎ］）に印加する。そして，データ信号駆動部４００は，３個のサブフィールドより緑色，赤色，及び青色の有機発光素子に各々対応するデータ信号をデータ線（Ｄ［１］〜Ｄ［ｍ］）に印加する。
【００４８】
次に，図５を参照して，本発明の第１実施形態による有機発光表示装置の動作について具体的に説明する。
【００４９】
図５は，本発明の第１実施形態にかかる表示部に印加される信号の波形を示すタイミング図である。
【００５０】
本発明の第１実施形態による有機発光表示装置は，一つのフレームが３個のフィールド（１Ｆ，２Ｆ，３Ｆ）に分割されて駆動され，各フィールド（１Ｆ，２Ｆ，３Ｆ）より走査信号（Ｓ［１］〜Ｓ［ｎ］）が順に印加される。駆動回路部１１１を共有する３個の有機発光素子（ＯＬＥＤ＿Ｇ，ＯＬＥＤ＿Ｒ，ＯＬＥＤ＿Ｂ）は，各々一つのフィールドに相当する期間発光する。そして，フィールド（１Ｆ，２Ｆ，３Ｆ）は行別に独立的に定義され，図５では，一番目の行の走査線（Ｓ［１］）を基準に三つのフィールド（１Ｆ，２Ｆ，３Ｆ）を示しており，一番目の行の走査線（Ｓ［１］）を中心にした動作を説明する。
【００５１】
まず，第１フィールド（１Ｆ）で，現在走査線（Ｓ［１］）にローレベルの走査信号が印加される間にトランジスタ（Ｍ２）が導通して，データ線から印加されたデータ電圧（Ｖｄａｔａ）がトランジスタ（Ｍ１）のゲート，つまり，キャパシタ（Ｃｓｔ）の一端に印加される。したがって，キャパシタ（Ｃｓｔ）は，電源電圧（ＶＤＤ）とデータ電圧（Ｖｄａｔａ）との差に対応する電圧，つまり，トランジスタ（Ｍ１）のゲートとソースとの間に充電された電圧（ＶＧＳ）が充電され，トランジスタ（Ｍ１）は，充電された電圧（ＶＧＳ）に対応する電流（ＩＯＬＥＤ）がドレインに流れる。この時，トランジスタ（Ｍ１）のドレインに出力される電流（ＩＯＬＥＤ）は数式１の通りである。
【００５２】
【数１】
2006114876.tif 000003
【００５３】
ここで，ＶＴＨはトランジスタ（Ｍ１）の閾電圧，βは定数値を示す。
【００５４】
その次に，発光制御信号（Ｅ１［１］）がローレベルになればトランジスタ（Ｍ３１）が導通して，トランジスタ（Ｍ１）のドレインを通して流れる電流（ＩＯＬＥＤ）が有機発光素子（ＯＬＥＤ＿Ｇ）のアノードに伝達され，この電流（ＩＯＬＥＤ）に対応して有機発光素子（ＯＬＥＤ＿Ｇ）が発光する。
【００５５】
図５では，ローレベルの現在走査信号（Ｓ［１］）が印加される間，発光制御信号（Ｅ１［１］）はハイレベルである場合について説明したが，ローレベルの現在走査信号（Ｓ［１］）が印加される間に発光制御信号もローレベルであることも可能である。
【００５６】
一方，第１フィールド（１Ｆ）で発光制御信号（Ｅ１［１］）がローレベルになって有機発光素子（ＯＬＥＤ＿Ｇ）が発光する間，発光制御信号（Ｅ２［１］，Ｅ３［１］）はハイレベルに維持されてトランジスタ（Ｍ３２，Ｍ３３）は遮断され，有機発光素子（ＯＬＥＤ＿Ｒ，ＯＬＥＤ＿Ｂ）には電流（ＩＯＬＥＤ）が伝達されない。
【００５７】
第２フィールド（２Ｆ）で，現在走査線（Ｓ［１］）にローレベルの走査信号が印加される間，第１フィールド（１Ｆ）と同様にトランジスタ（Ｍ２）が導通して，データ線から印加されたデータ電圧（Ｖｄａｔａ）がトランジスタ（Ｍ１）のゲート，つまり，キャパシタ（Ｃｓｔ）の一端に印加される。したがって，キャパシタ（Ｃｓｔ）は，電源電圧（ＶＤＤ）とデータ電圧（Ｖｄａｔａ）との差に対応する電圧，つまり，トランジスタ（Ｍ１）のゲートとソースとの間に充電された電圧（ＶＧＳ）が充電され，トランジスタ（Ｍ１）は，充電された電圧（ＶＧＳ）に対応する電流（ＩＯＬＥＤ）がドレインに流れる。
【００５８】
その次に，発光制御信号（Ｅ２［１］）がローレベルになればトランジスタ（Ｍ３２）が導通して，トランジスタ（Ｍ１）のドレインを通して流れる電流（ＩＯＬＥＤ）が有機発光素子（ＯＬＥＤ＿Ｒ）のアノードに伝達され，この電流（ＩＯＬＥＤ）に対応して有機発光素子（ＯＬＥＤ＿Ｒ）が発光する。一方，第２フィールド（２Ｆ）で発光制御信号（Ｅ２［１］）がローレベルになって有機発光素子（ＯＬＥＤ＿Ｒ）に電流（ＩＯＬＥＤ）が伝達される間，発光制御信号（Ｅ１［１］，Ｅ３［１］）はハイレベルに維持されてトランジスタ（Ｍ３１，Ｍ３３）が遮断され，有機発光素子（ＯＬＥＤ＿Ｇ，ＯＬＥＤ＿Ｂ）には電流（ＩＯＬＥＤ）が伝達されない。
【００５９】
第３フィールド（３Ｆ）で，現在走査線（Ｓ［１］）にローレベルの走査信号が印加される間，第１及び第２フィールド（１Ｆ，２Ｆ）と同一に印加されたデータ電圧に対応する電流（ＩＯＬＥＤ）がトランジスタ（Ｍ１）のドレインに流れる。
【００６０】
その次に，発光制御信号（Ｅ３［１］）がローレベルになればトランジスタ（Ｍ３３）が導通して，トランジスタ（Ｍ１）のドレインを通して流れる電流（ＩＯＬＥＤ）が有機発光素子（ＯＬＥＤ＿Ｂ）のアノードに伝達され，この電流（ＩＯＬＥＤ）に対応して有機発光素子（ＯＬＥＤ＿Ｂ）が発光する。一方，第３フィールド（３Ｆ）で発光制御信号（Ｅ３［１］）がローレベルになって有機発光素子（ＯＬＥＤ＿Ｂ）に電流（ＩＯＬＥＤ）が伝達される間，発光制御信号（Ｅ１［１］，Ｅ２［１］）はハイレベルに維持されてトランジスタ（Ｍ３１，Ｍ３２）が遮断され，有機発光素子（ＯＬＥＤ＿Ｇ，ＯＬＥＤ＿Ｒ）には電流（ＩＯＬＥＤ）が伝達されない。
【００６１】
前述のように本発明の第１実施形態によれば，一つの走査線と一つのデータ線に連結された一つの画素駆動部とがＲ，Ｇ，Ｂ３個の有機発光素子を駆動することにより，一つの画素駆動部が一つの有機発光素子を駆動する場合に比べて，走査線及びデータ線の数を減少させることができる。
【００６２】
さらに，走査線に連結された一つの画素駆動部によって駆動されるＲ，Ｇ，Ｂ３個の有機発光素子を偶数行及び奇数行の二つの行に亘ってデルタ（Δ）形状に配置することにより，一つの走査線で二つの行に配置された複数の有機発光素子を駆動できるようになるので，走査線の数をさらに減少させることができる。
【００６３】
また，Ｒ，Ｇ，Ｂ有機発光素子を一つの行に一列に配置すると，有機発光素子は列方向に長く延びるようになるため，信頼性のある有機発光素子の蒸着が難しかった。しかし，Ｒ，Ｇ，Ｂ３個の有機発光素子をデルタ（Δ）形状に配置すれば，一列に配置する場合に比べて精密度の高い有機発光素子の蒸着が可能になり，有機発光素子の信頼性も向上させることができる。
【００６４】
図６は，本発明の第２実施形態による有機発光表示装置の画素２１０を示す等価回路図である。
【００６５】
本発明の第２実施形態による有機発光表示装置は，画素駆動部が４個のトランジスタと２個のキャパシタを含む点が第１実施形態の有機発光表示装置と異なる点である。
【００６６】
図６のように，画素２１０は，走査信号（Ｓ［ｉ］）に基づいてデータ信号（Ｄ［ｊ］）に対応する電流（ＩＯＬＥＤ）を出力する画素駆動部２１１，画素駆動部２１１で生成された電流（ＩＯＬＥＤ）が選択的に伝達されるように制御するトランジスタ（Ｍ３１，Ｍ３２，Ｍ３３），及び赤色（Ｒ），緑色（Ｇ），青色（Ｂ）に各々発光する有機発光素子（ＯＬＥＤ＿Ｒ，ＯＬＥＤ＿Ｇ，ＯＬＥＤ＿Ｂ）を含む。第２実施形態において，トランジスタ（Ｍ３１，Ｍ３２，Ｍ３３）及び有機発光素子（ＯＬＥＤ＿Ｒ，ＯＬＥＤ＿Ｇ，ＯＬＥＤ＿Ｂ）は，その連結関係，動作，及び配置構造が第１実施形態と同一であるので詳細な説明は省略する。
【００６７】
以下，画素駆動部２１１についてより詳細に説明する。
【００６８】
画素駆動部２１１は４個のトランジスタ及び２個のキャパシタ，つまり，トランジスタ（Ｔ１），トランジスタ（Ｔ３），トランジスタ（Ｔ４），トランジスタ（Ｔ５），キャパシタ（Ｃｖｔｈ），及びキャパシタ（Ｃｓｔ）を含む。本実施形態にかかる第１トランジスタはＴ５に，第２トランジスタはＴ１に，第３トランジスタはＴ３に，第４トランジスタはＴ４に，第１キャパシタはＣｓｔに，第２キャパシタはＣｖｔｈに相当する。
【００６９】
具体的に，トランジスタ（Ｔ５）は，ゲートが現在走査線（Ｓ［ｉ］）に連結され，ソースがデータ線（Ｄ［ｊ］）に連結されて，走査線（Ｓ［ｉ］）からの走査信号に応答してデータ線（Ｄ［ｊ］）から印加されたデータ電圧をキャパシタ（Ｃｖｔｈ）のノード（Ｂ）に伝達する。トランジスタ（Ｔ４）は，直前走査線（Ｓ［ｉ−１］）からの走査信号に応答して，キャパシタ（Ｃｖｔｈ）のノード（Ｂ）を電源（ＶＤＤ）に直接連結する。トランジスタ（Ｔ３）は，直前走査線（Ｓ［ｉ−１］）からの走査信号に応答してトランジスタ（Ｔ１）をダイオード連結させる。駆動トランジスタ（Ｔ１）は，ゲートがキャパシタ（Ｃｖｔｈ）のノード（Ａ）に接続され，ソースが電源（ＶＤＤ）に接続されて，ゲートに印加される電圧に基づき，画素駆動部２１１の出力端であるトランジスタ（Ｔ１のドレインに有機発光素子（ＯＬＥＤ＿Ｇ，ＯＬＥＤ＿Ｒ，ＯＬＥＤ＿Ｂ）に印加される電流を出力する。
【００７０】
また，キャパシタ（Ｃｓｔ）は一つの電極が電源（ＶＤＤ）に接続され，他の電極がトランジスタ（Ｔ４）のドレイン電極（ノードＢ）に接続され，キャパシタ（Ｃｖｔｈ）は，一つの電極がキャパシタ（Ｃｓｔ）の他の電極に連結されて２個のキャパシタが直列連結され，他の電極が駆動トランジスタ（Ｔ１）のゲート（ノードＡ）に連結される。本実施形態にかかる第１電極は，Ｔ４のソース電極に相当し，第２電極は，Ｔ４のドレイン電極に相当する。
【００７１】
そして，画素駆動部２１１の出力端である駆動トランジスタ（Ｔ１）のドレインには，有機発光素子（ＯＬＥＤ＿Ｇ，ＯＬＥＤ＿Ｒ，ＯＬＥＤ＿Ｂ）が選択的に発光するように制御するトランジスタ（Ｍ３１，Ｍ３２，Ｍ３３）のソースが各々連結され，トランジスタ（Ｍ３１，Ｍ３２，Ｍ３３）のゲートには，各々発光制御線（Ｅ１［ｉ］，Ｅ２［ｉ］，Ｅ３［ｉ］）が連結される。トランジスタ（Ｍ３１，Ｍ３２，Ｍ３３）のドレインには，各々有機発光素子（ＯＬＥＤ＿Ｇ，ＯＬＥＤ＿Ｒ，ＯＬＥＤ＿Ｂ）のアノードが連結される。
【００７２】
次に，画素駆動部２１１の動作について説明する。
【００７３】
まず，直前走査線（Ｓ［０］）にローレベルの走査信号が印加される間，トランジスタ（Ｔ３）及びトランジスタ（Ｔ４）が導通する。トランジスタ（Ｔ３）が導通することによってトランジスタ（Ｔ１）はダイオード連結状態となる。したがって，トランジスタ（Ｔ１）のゲートとソースとの間の電圧差が，トランジスタ（Ｔ１）の閾電圧（Ｖｔｈ）となるまで変わる。この時，トランジスタ（Ｔ１）のソースが電源（ＶＤＤ）に連結されているので，トランジスタ（Ｔ１）のゲート，つまり，キャパシタ（Ｃｖｔｈ）のノード（Ａ）に印加される電圧は，電源電圧（ＶＤＤ）と閾電圧（Ｖｔｈ）の合計になる。また，トランジスタ（Ｔ４）が導通し，キャパシタ（Ｃｖｔｈ）のノード（Ｂ）に電源（ＶＤＤ）が印加されてキャパシタ（Ｃｖｔｈ）に充電される電圧（ＶＣｖｔｈ）は数式２の通りである。
【００７４】
【数２】
2006114876.tif 000004
【００７５】
ここで，ＶＣｖｔｈは，キャパシタ（Ｃｖｔｈ）に充電される電圧を意味し，ＶＣｖｔｈＡはキャパシタ（Ｃｖｔｈ）のノード（Ａ）に印加される電圧，ＶＣｖｔｈＢは，キャパシタ（Ｃｖｔｈ）のノード（Ｂ）に印加される電圧を意味する。
【００７６】
現在走査線（Ｓ［１］）にローレベルの走査信号が印加される間，トランジスタ（Ｔ５）が導通して，データ線（Ｄ１）から印加されたデータ電圧（Ｖｄａｔａ）がノード（Ｂ）に印加される。また，キャパシタ（Ｃｖｔｈ）には，トランジスタ（Ｔ１）の閾電圧（Ｖｔｈ）に該当する電圧が充電されているので，トランジスタ（Ｔ１）のゲートには，データ電圧（Ｖｄａｔａ）とトランジスタ（Ｔ１）の閾電圧（Ｖｔｈ）の合計に対応する電圧が印加される。つまり，トランジスタ（Ｔ１）のゲート−ソース間電圧（Ｖｇｓ）は次の数式３の通りである。
【００７７】
【数３】
2006114876.tif 000005
【００７８】
トランジスタ（Ｔ１）のゲート−ソース電圧（ＶＧＳ）に対応する電流（ＩＯＬＥＤ）は，トランジスタ（Ｔ１）のドレインに出力される。この時，電流（ＩＯＬＥＤ）は数式４の通りである。
【００７９】
【数４】
2006114876.tif 000006
【００８０】
ここで，ＩＯＬＥＤは，トランジスタ（Ｔ１）のドレインに出力される電流であり，Ｖｇｓは，トランジスタ（Ｔ１）のソースとゲートとの間の電圧，Ｖｔｈはトランジスタ（Ｔ１）の閾電圧，Ｖｄａｔａはデータ電圧，βは定数値を示す。
【００８１】
このようにトランジスタ（Ｔ１）のドレインに出力された電流（ＩＯＬＥＤ）は，第１実施形態と同様に発光制御信号（Ｅ１［ｉ］，Ｅ２［ｉ］，Ｅ３［ｉ］）に応答し，第１，第２，及び第３フィールド（１Ｆ，２Ｆ，３Ｆ）に各々トランジスタ（Ｍ３１，Ｍ３２，Ｍ３３）が導通して，有機発光素子（ＯＬＥＤ＿Ｇ，ＯＬＥＤ＿Ｒ，ＯＬＥＤ＿Ｂ）に各々伝達される。
【００８２】
前述のように本発明の第２実施形態によれば，第１実施形態と同様に走査線及びデータ線の数を減少させることができる。また，Ｒ，Ｇ，Ｂ３個の有機発光素子を偶数行及び奇数行の二つの行に亘ってデルタ（Δ）形状に配置することにより，有機発光素子が一列に配置される場合に比べて精密度の高い有機発光素子の蒸着が可能になるので，有機発光素子の信頼性を向上させることができる。
【００８３】
さらに，本発明の第２実施形態によれば，トランジスタ（Ｔ３，Ｔ４）及びキャパシタ（Ｃｖｔｈ）を備えて駆動トランジスタ（Ｔ１）の閾電圧を補償することにより，駆動トランジスタの閾電圧によって電流（ＩＯＬＥＤ）が変わって表示特性が低下することを充分に防止できる。
【００８４】
以上説明したように，本実施形態によれば，一つの走査線と一つのデータ線に連結された一つの画素駆動部がＲ，Ｇ，Ｂ３個の有機発光素子を駆動することにより，一つの画素駆動部が一つの有機発光素子を駆動する場合に比べて走査線及びデータ線を減少させることができる。また，走査線に連結された一つの画素駆動部によって駆動されるＲ，Ｇ，Ｂ３個の有機発光素子を，偶数行及び奇数行の二つの行に亘ってデルタ（Δ）形状に配置することにより，一つの走査線で二つの行に配置された複数の有機発光素子を駆動させられるようになるので，走査線の数をさらに減少させることができる。Ｒ，Ｇ，Ｂ３個の有機発光素子をデルタ（Δ）形状に配置することによって，一列に配置される場合に比べて精密度の高い有機発光素子の蒸着が可能になるので，有機発光素子の信頼性を向上させることができる。
【００８５】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【産業上の利用可能性】
【００８６】
本発明は，発光表示装置及び発光表示パネルに適用可能である。
【図面の簡単な説明】
【００８７】
【図１】従来の発光表示装置の画素回路を示す図である。
【図２】本発明の第１実施形態にかかる有機発光表示装置の構成を概略的に示す図である。
【図３】本発明の第１実施形態にかかる表示部の画素配置構造を詳細に示す図である。
【図４】本発明の第１実施形態にかかる画素の等価回路図である。
【図５】本発明の第１実施形態にかかる表示部に印加される信号の波形を示すタイミング図である。
【図６】本発明の第２実施形態による有機発光表示装置の画素を示す等価回路図である。
【符号の説明】
【００８８】
１０            画素
１００          表示部
１１０，２１０  画素
１１１，２１１  画素駆動部
１２０          反転配置画素
２００          走査駆動部
３００          発光制御信号駆動部
４００          データ信号駆動部
【図１】
2006114876.tif 000007
【図２】
2006114876.tif 000008
【図３】
2006114876.tif 000009
【図４】
2006114876.tif 000010
【図５】
2006114876.tif 000011
【図６】
2006114876.tif 000012